(57)【要約】【課題】左右一対の係合爪を有する蓋側のフックを容器本体側の各係合凹部に嵌入・係合させるようにした蓋のフック構造において、フック取付けのガタツキの影響により、一方の係合爪がそれと対向した係合凹部に嵌入しているのに対し、他方の係合爪がそれと対向した係合爪の上縁に引っ掛かって、いわゆる片係りになる不都合を防止することである。【解決手段】両方の係合爪３、３’の突き出し長さに差ｄを設けるとともに、長い方の係合爪３の先端エッジ１１を短い方の係合爪３’の先端エッジ１１’より高い位置にあるように形成し、その高さの差ｅをフック２のガタツキ量より大きく設定することにより、長い方の先端エッジ１１が嵌入開始点にあるときは、短い方の先端エッジ１１’が必ず係合凹部５’の開口範囲内の後方に臨むようにした。【選択図】  図３
2004242700.tif 000002
【特許請求の範囲】
【請求項１】
蓋に前後方向にスライド可能なフックを取付け、そのフックの先端に設けた左右２か所の係合爪を蓋の側面から外部に対し出没自在となるように設け、各係合爪に対向した係合凹部を容器本体の内周面に設け、前記フックに対しその前進方向に付勢するばね力を付与し、そのばね力に対抗して該フックを後退させるフックレバーを設け、前記蓋の閉鎖時に前記係合爪をそれと対向した係合凹部に嵌入させるようにした液体容器の蓋フック構造において、前記両係合爪の先端エッジのフックスライド方向と直角な基準面に対する突き出し長さに相対的な差を設けたことを特徴とする液体容器の蓋フック構造。
【請求項２】
前記何れか一方の係合爪の先端面を他方の係合爪の先端面に対し所要量平行に後退させることにより、両方の先端エッジの突き出し長さに相対的な差を設けたことを特徴とする請求項１に記載の液体容器の蓋フック構造。
【請求項３】
蓋に前後方向にスライド可能なフックを取付け、そのフックの先端に設けた左右２か所の係合爪を蓋の側面から外部に対し出没自在となるように設け、各係合爪に対向した係合凹部を容器本体の内周面に設け、前記フックに対しその前進方向に付勢するばね力を付与し、そのばね力に対抗して該フックを後退させるフックレバーを設け、前記蓋の閉鎖時に前記係合爪をそれと対向した係合凹部に嵌入させるようにした液体容器の蓋フック構造において、前記両係合爪の先端エッジの水平基準面に対する高さに相対的な差を設けたことを特徴とする液体容器の蓋フック構造。
【請求項４】
前記何れか一方の係合爪の先端部上面から先端面にわたる傾斜面を設けることにより、両方の先端エッジの高さに相対的な差を設けたことを特徴とする請求項３に記載の液体容器の蓋フック構造。
【請求項５】
前記両方の先端エッジの高さの相対的な差が、前記フックの上下方向のガタツキ量より大きいことを特徴とする請求項４に記載の液体容器の蓋フック構造。
【請求項６】
蓋に前後方向にスライド可能なフックを取付け、そのフックの先端に設けた左右２か所の係合爪を蓋の側面から外部に対し出没自在となるように設け、各係合爪に対向した係合凹部を容器本体の内周面に設け、前記フックに対しその前進方向に付勢するばね力を付与し、そのばね力に対抗して該フックを後退させるフックレバーを設け、前記蓋の閉鎖時に前記係合爪をそれと対向した係合凹部に嵌入させるようにした液体容器の蓋フック構造において、前記両係合爪の先端エッジのフックスライド方向と直角な基準面に対する突き出し長さに差を設け、かつ、前記突き出し長さの長い方の係合爪の先端エッジが他方の係合爪の先端エッジより高くなるように水平基準面に対する高さに差を設けたことを特徴とする液体容器の蓋フック構造。
【請求項７】
前記何れか一方の係合爪の先端面を他方の係合爪の先端面に対し所要量平行に後退させることにより、両方の先端エッジの突き出し長さに相対的な差を設け、かつ前記突き出し長さの短い方の係合爪の先端上面から先端面にわたる傾斜面を設けることにより、両方の先端エッジの高さに相対的な差を設けたことを特徴とする請求項６に記載の液体容器の蓋フック構造。
【請求項８】
前記両方の係合爪の先端エッジの高さの相対的な差が、前記フックの上下方向のガタツキ量より大きいことを特徴とする請求項７に記載の液体容器の蓋フック構造。
【発明の詳細な説明】
【０００１】
【発明の属する技術分野】
この発明は、電気湯沸かし器等の液体容器におけるフック構造に関するものである。
【０００２】
【従来の技術】
電気湯沸かし器等の液体容器において、その蓋を容器本体に係合させるために、従来からフック構造を設けることが知られている（例えば、特許文献１参照）。従来のフック構造の基本的な部分は、図１２示すように、蓋１に前後方向にスライド可能なフック２を取付け、そのフック２の先端に設けた左右２か所の平行な係合爪３、３’を蓋側面４から外部に対し出没自在となるように設け、各係合爪３、３’に対向した係合凹部５、５’を容器本体６の内周面に設け、前記フック２に対しその前進方向に付勢するばね力Ｆを付与している。また、そのばね力Ｆに対向して該フック２を後退させるフックレバー（図示省略）を設け、蓋１の閉鎖時に前記係合爪３、３’をそれと対向した係合凹部５、５’に嵌入させるようにしている。前記の係合爪３、３’を左右２か所に離して設けるのは、その中間部にフックレバーとの係合部等を設ける必要があることによる。
【０００３】
図１２（ａ）及び同（ｃ）（ｄ）は、各係合爪３、３’の先端エッジ１１、１１’が案内傾斜面７、７’を滑って下降し、係合凹部５、５’の上縁１２、１２’を越えて係合凹部５、５’に嵌入せんとする状態を実線で示し、嵌入して係合した状態を鎖線で示す。その他、図１２（ｂ）において、８は容器本体６の内周側から見た吐出通路、９は吐出通路８の先端の吐出口を示す。
【０００４】
【特許文献１】
実用新案登録第２５７４８８０号公報（段落００２１〜００２４、図１、図２）
【０００５】
【発明が解決しようとする課題】
しかしながら、前記のようにフック２の係合爪３、３’を左右２か所に離して設ける構造を採ると、フック２自体の取付けのガタツキ、蓋ヒンジ部のガタツキ等の影響を受けて、一方の係合爪３（又は係合爪３’）のみが容器本体６側の一方の係合凹部５（又は係合凹部５’）に嵌入・係合されるが、他方の係合爪３’（又は係合爪３）がそれに対向した係合凹部５’（又は係合凹部５）の上縁に引っ掛かって完全に嵌入しない状態、いわゆる片係りが発生することがある。片係りになっても蓋１は一応閉鎖されるので、使用者は完全に閉鎖されたものと誤認して、その後の使用を継続することがある。しかし、片係りは蓋１の不安定な閉鎖状態であるので、使用の途中で蓋１が突然開放されるといった事態が起こることがあり得る。
【０００６】
両方の係合爪３、３’が前記のガタツキの影響を受けて正規の位置から上下方向に平行に変位した姿勢になった場合は、両方ともに係合凹部５、５’の高さに対して揃った位置にあるので片係りは発生し難く、また左右方向のガタツキに対しては係合凹部５、５’の左右方向の幅に余裕を与えることで片係りを防ぐことができる。
【０００７】
問題は、一方の係合爪に対して他方の係合爪が上下方向に変位する傾斜した姿勢になった場合である。この場合でも、図１３（ａ）に示すように、一方の係合爪３の先端エッジ１１が係合凹部５上方の案内傾斜面７に接して下降し係合凹部５の上縁１２に達し、まさに係合凹部５に嵌入しようとするとき、他方の係合爪３’の先端エッジ１１’が他方の係合凹部５’の上縁１２’より低い位置となる（高さの差をａで示す。）ようにフック２が傾いている場合は、両方の係合爪３、３’はそれぞれの対応した係合凹部５、５’に嵌入され、完全に係合される。
【０００８】
これに対し、図１３（ｂ）に示すように、一方の係合爪３の先端エッジ１１が、同様に案内傾斜面７を下降して上縁１２に達し、まさに係合凹部５に嵌入しようとするとき、他方の係合爪３’の先端エッジ１１’が他方の上縁１２’より高い位置（高さの差をｂで示す。）の案内傾斜面７’上にあるように傾く場合がある。このように傾いている場合は、フック２が前記のばね力Ｆによってそのまま前進すると、一方の係合爪３は係合凹部５に嵌入・係合されるが、他方の係合爪３’は上縁１２’に引っ掛かった片係りの状態となる。フック２の傾きの大きさは前記のガタツキ量の大きさにより種々であるが、図１３（ｃ）に示したように、微小な高さの差ｃしかないような片係りや、上縁１２’に対し交差するように引っ掛かる片係りも起こり得る。
【０００９】
そこで、この発明は、係合爪３、３’を左右２か所に離して設けたフック２を使用したフック構造において、フック２自体の取付け構造、或いは蓋１の取付け構造等に起因して不可避的に生じるガタツキの影響を受けることがあっても、片係りの発生し難いフック構造を提供することを課題とする。
【００１０】
【課題を解決するための手段】
上記の課題を解決するためのこの発明の第１の手段は、図１に示すように、蓋１に前後方向にスライド可能なフック２を取付け、そのフック２の先端に設けた左右２か所の係合爪３、３’を蓋１の側面４から外部に対し出没自在となるように設け、各係合爪３、３’に対向した係合凹部５、５’を容器本体６の内周面に設け、前記フック２に対しその前進方向に付勢するばね力Ｆを付与し、そのばね力Ｆに対抗して該フック２を後退させるフックレバー（図示省略）を設け、前記蓋１の閉鎖時に前記係合爪３、３’をそれと対向した係合凹部５、５’に嵌入させるようにした液体容器の蓋フック構造において、前記フック２に設けた両係合爪３、３’の先端エッジ１１、１１’のフックスライド方向Ａと直角な基準面Ｓに対する突き出し長さＬ、Ｌ’に相対的な差ｄを設けた構成としたものである。
【００１１】
この形状のフック２は、図１（ｃ）のように、先端エッジ１１、１１’の高さＨ（水平基準面Ｓ’に対する高さ）が一致する場合を含む（その高さに差がある場合については後述する。）。この形状のフック２は、前記図１３（ｃ）のように、フック２の上下方向の傾きが僅かである場合において、両方の先端エッジ１１、１１’の高さの差ｃが微小なときや、交差状に引っ掛る可能性のあるときに有効な手段である。即ち、図１（ａ）に示すように、フック１が前進すると（スライド方向を示す矢印Ａ参照）、長い突き出し長さＬ（＞Ｌ’）を持った係合爪３の先端エッジ１１が、短い突き出し長さＬ’の係合爪３’の先端エッジ１１’より先に係合凹部５の上縁１２に達して係合凹部５に嵌入する。その嵌入によりフック２はフリーとなるので、フック２はばね力Ｆにより加速され勢いよく前進する。
【００１２】
一方、前記の先端エッジ１１が係合凹部５の上縁１２に達し嵌入が開始される時点（図１（ｄ）参照。この時点を以下「嵌入開始点」と称する。）において、短い方の先端エッジ１１’は距離ｄだけ上縁１２’の後方にある（図１（ｅ）参照）。フック２は、その時点から前記のようにばね力Ｆの作用によって勢いよく前進するため、微小な高さの差ｃや交差状の引っ掛かりの原因となっているガタツキによる姿勢の傾きを強制的に正規の姿勢に戻して先端エッジ１１’を係合凹部５’に嵌入させ、片係りを防止する。
【００１３】
先端エッジ１１、１１’のスライド方向Ａの差ｄは、フック２に対するばね力Ｆによる加速が十分に加わる範囲内で係合凹部５’に対する嵌入・係合に支障がない大きさに設定される。
【００１４】
なお、両方の先端エッジ１１、１１’の突き出し長さに相対的な差ｄを設ける具体的な手段としては、図１（ｃ）に示すように、一方の係合爪３’の先端面１３’を他方の係合爪３の先端面１３に対し所要量平行に後退させることにより形成する手段がある。
【００１５】
前記の課題を達成するための第２の手段は、前記と同様の従来の液体容器の蓋フック構造において、図２に示すように、両方の係合爪３、３’の先端エッジ１１、１１’の水平基準面Ｓ’に対する高さＨ、Ｈ’に相対的な差ｅを設けた構成である。このフック構造は、先に図１３（ｂ）において示したように、両方の先端エッジ１１、１１’の高さに比較的大きな差ｂが生じるようにフック２が傾斜した場合に有効な手段である。即ち、高さＨ（＞Ｈ’）の係合爪３の先端エッジ１１が嵌入開始点に達した状態（図２（ｄ）参照）で、他方の係合爪３’の先端エッジ１１’は係合凹部５’の上縁１２’より相対的に低い位置にある（同（ｅ）参照）。必ず上縁１２’より低い位置にあるようにするには、先端エッジ１１、１１’の高さの差ｅの大きさを、ガタツキによって生じる最大の高さの差ｂより大きく設定しておけばよい（図２（ｅ）参照）。このように設定しておくと、係合爪３の先端エッジ１１が嵌入開始点に達した状態で他方の先端エッジ１１’はこれに対向した係合凹部５’の範囲内でその後方に臨む。従って、フック２がばね力Ｆを受けて前進すると、先端エッジ１１’は必ず係合凹部５’に嵌入することになり、片係りになることが避けられる。
【００１６】
次に、前記の課題を解決するための第３の手段は、前記と同様の従来の液体容器の蓋フック構造において、図３に示すように、両方の係合爪３、３’の先端エッジ１１、１１’のフックスライド方向Ａと直角な基準面Ｓに対する突き出し長さに差ｄを設け、かつ、前記突き出し長さの長い方の係合爪３の先端エッジ１１が他方の係合爪３’の先端エッジ１１’より高くなるように両者の高さに差ｅをつけた構成としたものである。この場合の構成は、前述の第１と第２の手段の複合構造であり、作用効果も複合的なものとなる。
【００１７】
この場合も、突き出し長さの短い方の係合爪３’の先端面１３’は、前記第１の手段の場合と同様に、長い方の係合爪３の先端面１３に対し所要量平行に後退させることにより、両方の先端エッジ１１、１１’の突き出し長さに相対的な差ｄを設け、かつ前記突き出し長さの短い方の係合爪３’の先端上面から先端面にわたる傾斜面１４を設けることにより、両方の先端エッジ１１、１１’の高さに差ｅを設けた構成を採ることができる。このような傾斜面１４を設けることにより、両方の係合爪３、３’の上面１５、１５’の高さを揃えることができる。
【００１８】
また、この場合も両方の係合爪３、３’の先端エッジ１１、１１’の高さの相対的な差ｅが、前記フック１の上下方向のガタツキ量より大きいよう設定することにより、そのガタツキの範囲内で、先端エッジ１１’の位置をこれに対応した係合凹部５’の範囲内でその後方に臨ませることができる。
【００１９】
【発明の実施形態】
以下、添付図面に基づいてこの発明の実施形態を説明する。図４に示した電気ポットは、底部材２１、胴部材２２及び肩部材２３により容器本体２４を構成し、その内部において内容器２５の開口つば部２６を肩部材２３の内周面に係止して吊り下げ状態に支持し、内容器２５の底面部を支持金具２７に固定するとともに、その支持金具２７をビス２８により底部材２１に固定している。内容器２５の外周面に胴ヒーター２９が装着される。また、肩部材２３の前面部に吐出口３１が設けられ、後面部にハンドル３２が固着される。肩部材２３内周面に蓋３３が嵌合され、その蓋３３の後端部に突設した指掛け部３４がハンドル３２の上端部にヒンジピン３５により連結される。蓋３３に液通路３７が設けられ、その液通路３７の途中に開閉自在の栓体３８が設けられる。
【００２０】
上記の蓋３３の指掛け部３４の外周面下端部に小凹部３９が設けられ、これと係合する凸部４１をもった板ばね４２が容器本体２４のハンドル３２側に取付けられる。この小凹部３９と凸部４１との係合により、開放された蓋３３を一定角度に保持する。
【００２１】
前記肩部材２３の内周面には、図５（ｂ）に示すように、吐出口３１に通じた吐出通路３６が開放され、その吐出通路３６の左右両側部に係合凹部４３、４３’が設けられる。各係合凹部４３、４３’は内側から見て四角形に開放され、水平の上縁４４、４４’と左右の傾斜した両側縁４５、４５、４５’、４５’が内側に突き出し、上縁４４、４４’と肩部材２３の上端縁との間に下降傾斜する案内傾斜面４６、４６’が設けられる。
【００２２】
一方、蓋３３の内部において、その前端部にフック４７（図４参照）が前後方向にスライド自在に設けられ、該フック４７の一部と蓋３３の内部の一部との間に介在されたフックばね４８によりフック４７に前進方向のばね力Ｆを付与する。また、蓋３３の上面前端部にフックピン４９によりフックレバー５１が前後方向に揺動自在に取付けられる。フックレバー５１の脚部５２が前記フック４７のばね受け部５３の前面に係合され、フックレバー５１が引き起こされると、フック４７はフックばね４８を圧縮しながら後退する。
【００２３】
フック４７は、図６に示すように、フック本体５０の前面に左右一対の係合爪５５、５５’を前方に向け平行に突き出したものである。左右の係合爪５５、５５’の中間部分に前記のばね受け部５３が設けられる。また各係合爪５５、５５’の後方にそれらの底面と共通の底面をもった突出部５６、５６’が設けられる。各係合爪５５、５５’は、先端面５７、５７’が下向きの傾斜面をなし（図６（ｄ）参照）、かつ両先端面５７、５７’は同一の傾斜角を有するが、前後方向に平行移動した形状になっている。後方に位置する係合爪５５’においては、その上面５８’から先端面５７’にわたる一定幅の傾斜面５９が形成される（図６（ｅ）参照）。
【００２４】
上記の一方の係合爪５５の前端部には、その先端面５７と上面５８との交差部に先端エッジ６１が形成される（図６（ｅ）参照）。また、他方の係合爪５５’には、その先端面５７’と傾斜面５９との交差部に先端エッジ６１’が形成される。各先端エッジ６１、６１’は、前述した肩部材２３の内周面に沿った傾斜角θ（図６（ｃ）参照）が付けられる。傾斜角θを有することにより、先端エッジ６１、６１’はその内側部が最も前方に突き出しているが、基準面Ｓ（フック４７のスライド方向Ａに対して直角な面）からの突き出し長さを、係合爪５５についてＬ、係合爪５５’についてＬ’で示す。Ｌ＞Ｌ’であり、その差をｄで示す。
【００２５】
また、一定の水平の基準面Ｓ’（図６（ｄ）参照）に対する各先端エッジ６１、６１’の高さを、係合爪５５についてＨ、係合爪５５’についてはＨ’で示す。Ｈ＞Ｈ’であり、その差をｅで示す。
【００２６】
上記のフック４７は、フックばね４８のばね力Ｆにより前方に付勢され、左右の係合爪５５、５５’の先端部が蓋３３の前端側面から前方に突き出し、肩部材２３の係合凹部４３、４３’に嵌入・係合され、蓋３３を容器本体２４に対し係合させる。蓋３３を開放させるときは、使用者がフックレバー５１の後端部を引き上げ（図４の矢印参照）ピン４９を中心に回転させると、その脚部５２でフック４７をばね力Ｆに対抗して後退させる。フック４７の後退により係合爪５５、５５’が係合凹部４３、４３’から脱出すると蓋３３の容器本体２４に対する係合が外れ蓋３３を開放することができる。
【００２７】
開放した蓋３３を閉鎖する際は、通常、各係合爪５５、５５’が、係合凹部４３、４３’の各案内傾斜面４６、４６’（図５（ｂ）参照）に載って軽く閉まるまで降ろす。そのうえで蓋３３の上面を軽く押し下げると、案内傾斜面４６、４６’を滑って下降しながら係合爪５５、５５’が若干後退し上縁４４、４４’を越えて係合凹部４３、４３’の内部に嵌入・係合する。このときに、いわゆる片係りが発生する可能性があるが、この実施形態の場合は次のようにして片係りが防止される。
【００２８】
▲１▼フック４７が、取付け部分のガタツキにより、図７（ａ）（ｂ）に示すように、突き出し長さの長い方の係合爪５５側が相対的に上位にあり、短い方の係合爪５５’側が相対的に下位にあるように傾斜している場合は、係合爪５５の先端エッジ６１が嵌入開始点に達した状態において、短い方の係合爪５５’の先端エッジ６１’は必ず係合凹部４３’の範囲内の後方に臨んでいるから、片係りすることなく係合凹部４３’に嵌入される。
【００２９】
▲２▼前記の場合と逆に、係合爪５５側が相対的に低く、係合爪５５’側が相対的に高くなるように傾斜している場合は、図８（ａ）（ｂ）に示すように、長い方の係合爪５５の先端エッジ６１が嵌入開始点に達した状態において、短い方の先端エッジ６１’との高さの差ｅをフック４７の上下方向の最大ガタツキ量ｂより大きく設定しておくことにより、先端エッジ６１’は必ず係合凹部４３’の開口の範囲内においてその後方に臨む。係合爪５５’の傾斜面５９が上縁４４’に当たることがあるが、その傾斜面５９に作用する下向きの反力によりフック４７のガタツキによる傾斜が強制的に正規の姿勢に戻されて、係合凹部４３’に嵌入・係合される。
【００３０】
▲３▼ガタツキによるフック４７の傾きが前記の場合より大きくなって、その先端エッジ６１’の位置が上縁４４’の位置より微小な高さｃだけ高いような場合（図８（ｃ）参照）や、交差状に引っ掛かる場合は、片係りする可能性がある。しかし、この場合でも、フック４７はフックばね４８のばね力Ｆにより距離ｄを進む間に加速されるので、上縁４４’に衝突したときの勢いで係合凹部４３’に引き込まれることがあり、片係りの可能性を低減させる。
【００３１】
実施形態の電気ポットにおけるその他の構成としては、図９及び図１０に示すように、蓋３３の指掛け部３４の両側面のヒンジ穴６３の周りにカム部６４を設け、そのカム部６４の外周面に小凹部６５を設け、その指掛け部３４を嵌合させるハンドル３２の嵌合部６６の両内側面に板ばね６７を固定し、その板ばね６７に凸部６８を設け、蓋３３の全開時にその凸部６８を小凹部６５に弾性的に嵌合させることにより、蓋３３を一定の開放角度に保持することができる。先に、図４に示した構造の変形例である。
【００３２】
また、図１１は、図４に示した電気ポットの底面部の構造を示すものであり、前記の底部材２１の内周に固定した支持金具２７に対する絶縁碍子７１の取付け構造を示す。絶縁碍子７１はビス７２により前記支持金具２７に固定される。また、絶縁碍子７１には支持金具２７側に頭部７３（図４参照）が露出した電極用ビス７４が取付けられる。この電極用ビス７４は絶縁碍子７１の下面に突き出し、その突き出した部分に電源線７５が接続される。この場合、電極用ビス７４の頭部７３と支持金具２７の間は電気的な安全基準上一定以上の絶縁距離をおく必要があるため、絶縁碍子７１のサイズがその分大きくなり、製品の全高さが高くなる要因となるが、この実施形態においては、電極用ビス７４の頭部７３に対向した支持金具２７の部分に該頭部７３の直径より大きい径をもった穴７６を設けることにより、該頭部７３と支持金具２７との上下方向の位置関係を接近できるようにしている。これにより、絶縁碍子７１の小サイズ化を図り、製品全高を低くすることができたものである。
【００３３】
【発明の効果】
上述のように、この発明によれば、電気ポット等の液体容器の蓋において、その蓋に設けたフックの左右一対の係合爪の片係りが防止できるので、蓋の閉鎖が確実になる効果がある。
【図面の簡単な説明】
【図１】（ａ）本発明の基本的構造を示す横断平面図
（ｂ）同上の正面図
（ｃ）同上の係合爪部分の側面図
（ｄ）同上の係合凹部の縦断面図
（ｅ）同上の他の係合凹部の縦断面図
【図２】（ａ）本発明の他の基本的構造を示す横断平面図
（ｂ）同上の正面図
（ｃ）同上の係合爪部分の側面図
（ｄ）同上の係合凹部の縦断面図
（ｅ）同上の他の係合凹部の縦断面図
【図３】（ａ）本発明の他の基本的構造を示す横断平面図
（ｂ）同上の正面図
（ｃ）同上の係合爪部分の側面図
（ｄ）同上の係合凹部の縦断面図
（ｅ）同上の他の係合凹部の縦断面図
【図４】実施形態の一部省略断面図
【図５】（ａ）同上の蓋開放状態の一部斜視図
（ｂ）（ａ）図の容器本体部分の一部斜視図
【図６】（ａ）同上のフックの斜視図
（ｂ）同上のフックの後方から見た斜視図
（ｃ）同上のフックの平面図
（ｄ）同上のフックの側面図
（ｅ）同上のフックの一部拡大側面図
【図７】（ａ）同上の係合凹部の断面図
（ｂ）同上の他の係合凹部の断面図
【図８】（ａ）同上の係合凹部の断面図
（ｄ）同上の他の係合凹部の断面図
（ｃ）同上の他の係合凹部の断面図
【図９】同上の変形例の一部分解斜視図
【図１０】（ａ）図９の場合の蓋閉鎖状態の一部断面図
（ｂ）（ａ）図の蓋開放状態の一部断面図
【図１１】図４の実施形態の底面側から見た一部省略分解斜視図
【図１２】（ａ）従来例の基本構造を示す横断平面図
（ｂ）同上の正面図
（ｃ）（ｂ）図のｃ−ｃ線の断面図
（ｄ）（ｂ）図のｄ−ｄ線の断面図
【図１３】（ａ）従来例の基本構造の係合凹部の断面図
（ｂ）同上の他の係合凹部の断面図
（ｃ）同上の他の係合凹部の断面図
【符号の説明】
１  蓋
２  フック
３、３’  係合爪
４  蓋側面
５、５’  係合凹部
６  容器本体
７、７’  案内傾斜面
８  吐出通路
９  吐出口
１１、１１’  先端エッジ
１２、１２’  上縁
１３、１３’  先端面
１４、１４’  傾斜面
１５、１５’  上面
２１、２１’  底部材
２２  胴部材
２３  肩部材
２４  容器本体
２５  内容器
２６  開口つば部
２７  支持金具
２８  ビス
２９  胴ヒーター
３１  吐出口
３２  ハンドル
３３  蓋
３４  指掛け部
３５  ヒンジピン
３６  吐出通路
３７  液通路
３８  栓体
３９  小凹部
４１  板ばね
４２  凸部
４３、４３’  係合凹部
４４、４４’  上縁
４５、４５’  側縁
４６、４６’  案内傾斜面
４７  フック
４８  フックばね
４９  フックピン
５０  フック本体
５１  フックレバー
５２  脚部
５３  ばね受け部
５４  フック本体
５５、５５’  係合爪
５６、５６’  突出部
５７、５７’  先端面
５８、５８’  上面
５９  傾斜面
６１、６１’  先端エッジ
６３  ヒンジ穴
６４  カム部
６５  小凹部
６６  嵌合部
６７  板ばね
６８  凸部
７１  絶縁碍子
７２  ビス
７３  頭部
７４  電極用ビス
７５  電源線
【図１】
2004242700.tif 000003
【図２】
2004242700.tif 000004
【図３】
2004242700.tif 000005
【図４】
2004242700.tif 000006
【図５】
2004242700.tif 000007
【図６】
2004242700.tif 000008
【図７】
2004242700.tif 000009
【図８】
2004242700.tif 000010
【図９】
2004242700.tif 000011
【図１０】
2004242700.tif 000012
【図１１】
2004242700.tif 000013
【図１２】
2004242700.tif 000014
【図１３】
2004242700.tif 000015